(57)【要約】  本発明は、セキュアグリフが付けられている物体または製品の認証のための認証装置、システムおよび方法に関する。本発明は、セキュアグリフが知的財産保護を受けた形態特徴と機械読み取り可能な形態特徴とを有する機械における物体または製品の使用にも関する。
2017531874.tif 000002
【特許請求の範囲】
【請求項１】
真正性を判定するセキュアグリフであって、
（ａ）知的財産保護を受けた形態特徴と、
（ｂ）隠蔽および／または非隠蔽部分を有する機械読み取り可能な形態特徴と、
を備え、前記知的財産保護を受けた形態特徴は、真正性を判定するために認証装置によって、機械読み取り可能な形態特徴として単独で認識され、または、機械読み取り可能な形態特徴である少なくとも一部分と組み合わせて認識される、セキュアグリフ。
【請求項２】
前記知的財産保護を受けた形態特徴は、隠蔽部分および／または非隠蔽部分を有する、請求項１に記載のセキュアグリフ。
【請求項３】
前記機械読み取り可能な形態特徴および前記知的財産保護を受けた形態特徴は、真正性を判定するために、独立に、または、相互に関連して認識される、請求項１または２に記載のセキュアグリフ。
【請求項４】
前記知的財産保護を受けた形態特徴は商標である、請求項１から３のいずれか１項に記載のセキュアグリフ。
【請求項５】
前記商標は肉眼で見える、請求項４に記載のセキュアグリフ。
【請求項６】
ＲＦＩＤアンテナを備える、請求項１から５のいずれか１項に記載のセキュアグリフ。
【請求項７】
前記機械読み取り可能な形態特徴はタガントである、請求項１から６のいずれか１項に記載のセキュアグリフ。
【請求項８】
前記タガントは蛍光性である、請求項７に記載のセキュアグリフ。
【請求項９】
前記タガントは、幾何学的パターン、マークまたはシンボルの形をしている、請求項７または８のいずれか１項に記載のセキュアグリフ。
【請求項１０】
３回以上の回転対称性を有するパターン、マークまたはシンボルを備える、請求項１から９のいずれか１項に記載のセキュアグリフ。
【請求項１１】
４回以上の回転対称性を有するパターン、マークまたはシンボルを備える、請求項１から１０のいずれか１項に記載のセキュアグリフ。
【請求項１２】
６回以上の回転対称性を有するパターン、マークまたはシンボルを備える、請求項１から１１のいずれか１項に記載のセキュアグリフ。
【請求項１３】
対称性がないパターン、マークまたはシンボルを備える、請求項１から９のいずれか１項に記載のセキュアグリフ。
【請求項１４】
請求項１から１３のいずれか１項に記載のセキュアグリフが付けられている物体または製品。
【請求項１５】
前記セキュアグリフが前記物体または製品に貼り付けられているもしくは取り付けられている、印刷されているもしくは被覆されている、または組み込まれている、請求項１４に記載の物体または製品。
【請求項１６】
同一であること、または、異なることがある請求項１から１３のいずれか１項に記載の２つ以上のセキュアグリフを備える、請求項１４または１５のいずれか１項に記載の物体または製品。
【請求項１７】
少なくとも１つの付加的なセキュリティ形態特徴を備える、請求項１４から１６のいずれか１項に記載の物体または製品。
【請求項１８】
前記物体または製品が飲料自動販売機用カップ、蓋、ラベルまたはカバーである、請求項１４から１７のいずれか１項に記載の物体または製品。
【請求項１９】
物体または製品を準備することと、請求項１から１３のいずれか１項に記載のセキュアグリフを前記物体または製品に貼り付けるもしくは取り付ける、印刷するもしくは被覆する、および／または、組み込むこととを含む、請求項１４から１８のいずれか１項に記載の物体または製品を製作する方法。
【請求項２０】
同一であるまたは異なる２つ以上のグリフを貼り付けるもしくは取り付ける、印刷するもしくは被覆する、および／または組み込むことを含む、請求項１９に記載の方法。
【請求項２１】
前記グリフは、インクジェットプリンタ、フレキソプリンタ、スタンプパッドまたはリソグラフプリンタを使用して前記製品に印刷される、請求項１９または２０に記載の方法。
【請求項２２】
セキュアグリフが付けられている物体の真正性を判定する認証装置であって、
ａ）単独でまたは機械読み取り可能な形態特徴と組み合わせて、知的財産保護を受けた形態特徴からの信号応答に対応する関連データを収容しているデータベースと、
ｂ）ｉ）単独でまたは前記グリフに付けられた前記機械読み取り可能な形態特徴と組み合わせて、知的財産保護を受けた形態特徴から信号応答を発生できる信号発生器、
ｉｉ）単独でまたは前記機械読み取り可能な形態特徴と組み合わせて、前記知的財産保護を受けた形態特徴からの前記信号応答を受信できる信号応答検出器、および
ｉｉｉ）前記検出器からの前記信号応答と前記データベース内の該当する関連データとを比較する信号処理ユニット（ＳＰＵ）
を有する認証読み取り装置と、
を備える、認証装置。
【請求項２３】
出力機器をさらに備える、請求項２２に記載の装置。
【請求項２４】
前記セキュアグリフに対して近くにある、または、遠くにあることがある表示ユニットをさらに備える、請求項２２または２３に記載の装置。
【請求項２５】
前記信号発生器は励起源を備える、請求項２２から２４のいずれか１項に記載の装置。
【請求項２６】
前記信号応答検出器は、励起された読み取り可能な形態特徴材料によって放射された光のＲＧＢ成分と全強度とを前記信号処理ユニットへ出力するため構成されたＲＧＢセンサを備える、請求項２２から２５のいずれか１項に記載の装置。
【請求項２７】
前記信号応答検出器は、励起された読み取り可能な形態特徴材料によって放射された放射波長成分を前記信号処理ユニットへ出力するため構成された紫外線蛍光センサを備える、請求項２２から２５のいずれか１項に記載の装置。
【請求項２８】
前記信号応答検出器は分光計を備える、請求項２２から２５のいずれか１項に記載の装置。
【請求項２９】
前記信号応答検出器は光学センサを備える、請求項２２から２５のいずれか１項に記載の装置。
【請求項３０】
前記認証読み取り装置は、前記セキュアグリフの前記知的財産保護を受けた形態特徴の全体を表す信号応答を検出し認識する、請求項２２から２９のいずれか１項に記載の装置。
【請求項３１】
前記認証読み取り装置は、前記知的財産保護を受けた形態特徴に関連付けられた信号応答を検出し認識し、この信号応答は、前記セキュアグリフの前記知的財産保護を受けた形態特徴が発生させられると直ぐに前記データベース内の前記関連データと比較される、請求項２２から３０のいずれか１項に記載の装置。
【請求項３２】
請求項２２から３１のいずれか１項に記載の装置を備える機器。
【請求項３３】
認証対象である物体または製品と組み合わせて用いる請求項３２に記載の機器を製造するプロセスであって、請求項２２から３１のいずれか１項に記載の装置を前記機器に組み込むことを含む、プロセス。
【請求項３４】
機器において特定の意図された目的のためセキュアグリフを有する物体または製品が受け入れられ、使用されることを許可する方法であって、前記セキュアグリフは、
（ａ）知的財産保護を受けた形態特徴と、
（ｂ）機械読み取り可能な形態特徴と、
を備え、前記方法は、
ｉ）単独でまたは前記物体または製品の前記セキュアグリフに付けられた前記機械読み取り可能な形態特徴の少なくとも一部分と組み合わせて、前記知的財産保護を受けた形態特徴を検出し認識するために、前記機器に接続された認証装置を使用することと、
ｉｉ）前記機器において前記物体または製品の意図された使用を許可することと、
を含む、方法。
【請求項３５】
前記方法は、最初に、請求項１から１３のいずれか１項に記載の前記セキュアグリフを前記物体または製品に貼り付けるまたは取り付けること、前記セキュアグリフを前記物体または製品に印刷するもしくは被覆すること、および／または、前記セキュアグリフを前記物体または製品に組み込むことを含む、請求項３４に記載の方法。
【請求項３６】
前記認証装置は、請求項２２から３２のいずれか１項に記載の装置である、請求項３４または３５に記載の方法。
【請求項３７】
前記物体または製品は飲料自動販売機用カップである、請求項３４から３６のいずれか１項に記載の方法。
【請求項３８】
前記機器は抽出機である、請求項３４から３７のいずれか１項に記載の方法。
【請求項３９】
第１の品物が第２の品物と組み合わせて使用されることを許可するシステムであって、
ａ）検出器を用いてグリフの独特の形態特徴を検出することにより前記グリフが付けられた前記第１の品物を認証することと、
ｂ）前記第１の品物が前記第２の品物と組み合わせて使用されることを許可することと、
を含むシステム。
【請求項４０】
最初に、グリフを前記第１の品物に貼り付けるもしくは取り付ける、印刷するもしくは被覆する、および／または組み込むことを含む、請求項３４に記載のシステム。
【請求項４１】
真正性を判定するセキュアグリフが貼り付けられているもしくは取り付けられている、印刷されているもしくは被覆されている、および／または、組み込まれている物体または製品の真正性を判定する認証方法であって、前記セキュアグリフは、
知的財産保護を受けた形態特徴と、
隠蔽および／または非隠蔽部分を有する機械読み取り可能な形態特徴と、
を備え、前記知的財産保護を受けた形態特徴は、真正性を判定するために認証装置によって、機械読み取り可能な形態特徴として単独で認識され、または、機械読み取り可能な形態特徴である少なくとも一部分と組み合わせて認識され、
前記方法は、
前記物体または製品を
（ｉ）単独でまたは機械読み取り可能な形態特徴と組み合わせて、知的財産保護を受けた形態特徴からの信号応答に対応する関連データを収容しているデータベース、および
（ｉｉ）単独でまたは前記セキュアグリフに付けられた前記機械読み取り可能な形態特徴と組み合わせて、知的財産保護を受けた形態特徴からの信号応答を発生できる信号発生器と、単独でまたは前記機械読み取り可能な形態特徴と組み合わせて、前記知的財産保護を受けた形態特徴からの前記信号応答を受信できる信号応答検出器と、前記検出器からの前記信号応答と前記データベース内の該当する関連データとを比較する信号処理ユニット（ＳＰＵ）とを有する認証読み取り装置
を有する認証装置にかけることと、
前記認証装読み取り装置からの前記出力を認証し、使用することと、
を含む、方法。
【請求項４２】
同一である、または、異なる２つ以上のセキュアグリフを貼り付けるもしくは取り付ける、印刷するもしくは被覆する、および／または、組み込むことを含む、請求項４１に記載の方法。
【請求項４３】
前記セキュアグリフは、インクジェットプリンタ、フレキソプリンタ、スタンプパッドまたはリソグラフプリンタを使用して前記製品に印刷される、請求項４１に記載の方法。
【請求項４４】
前記装置は出力機器をさらに備える、請求項４１から４３のいずれか１項に記載の方法。
【請求項４５】
前記装置は、前記セキュアグリフに対して近くにある、または、遠くにあることがある表示ユニットをさらに備える、請求項４１から４４のいずれか１項に記載の方法。
【請求項４６】
前記信号発生器は励起源を備える、請求項４１から４５のいずれか１項に記載の方法。
【請求項４７】
前記信号応答検出器は、励起された読み取り可能な形態特徴材料によって放射された光のＲＧＢ成分と全強度とを前記信号処理ユニットへ出力するために構成されたＲＧＢセンサを備える、請求項４１から４６のいずれか１項に記載の方法。
【請求項４８】
前記信号応答検出器は、励起された読み取り可能な形態特徴材料によって放射された放射波長成分を前記信号処理ユニットへ出力するために構成された紫外線蛍光センサを備える、請求項４１から４７のいずれか１項に記載の方法。
【請求項４９】
前記信号応答検出器は分光計を備える、請求項４１から４８のいずれか１項に記載の方法。
【請求項５０】
前記信号応答検出器は光学センサを備える、請求項４１から４８のいずれか１項に記載の方法。
【請求項５１】
前記認証読み取り装置は、前記セキュアグリフの前記知的財産保護を受けた形態特徴の全体を表す信号応答を検出し、認識する、請求項４１から５０のいずれか１項に記載の方法。
【請求項５２】
前記認証読み取り装置は、前記知的財産保護を受けた形態特徴に関連付けられた信号応答を検出し認識し、この信号応答は、前記セキュアグリフの前記知的財産保護を受けた形態特徴が発生させられると直ぐに前記データベース内の前記関連データと比較される、請求項４１から５１のいずれか１項に記載の方法。
【発明の詳細な説明】
【技術分野】
【０００１】
関連出願の相互参照
本出願は、２０１４年１０月１０日付けで出願された米国仮特許出願第６２／０６２，４２５号への優先権を主張し、この米国仮特許出願は、あらゆる目的のために全体が参照によって援用される。
【０００２】
技術分野
本発明は、知的財産保護を受けた形態特徴と機械読み取り可能な形態特徴とを有するセキュアグリフが付けられている物体または製品の認証のための認証装置、システムおよび方法に関する。本発明は、セキュアグリフが付けられている物体または製品の機械または機器における使用にも関する。
【背景技術】
【０００３】
価値のある知的財産、例えば、会社名、ロゴ、画像、ブランド、著作権または商標を担う物体および製品の偽造、侵害および並行輸入を防止する、または、減少させるためにシステムおよび方法が用いられている。
【０００４】
ほとんどのシステムおよび方法は、各々が異なるセキュリティレベルを提供する３種類の物体または製品真正性保護に分類されるセキュリティまたは認証対策の形をした１つ以上の保護形態特徴を含む。これらの３種類は、セキュリティ業界において、「レベル１」（一般市民が読み取り可能）、「レベル２」（即時応答を伴い機械読み取り可能）、および「レベル３」（応答がリアルタイムでは簡単に得られない場合に専用ツールを用いて、またはその他のフォレンジック手段を用いて機械読み取り可能）のセキュリティ対策と呼ばれる。
【０００５】
レベル１−セキュリティ対策は、例えば、物体または製品のエンドユーザによる視認または接触によって隠蔽なしで認識され得る形態特徴の使用を伴う。この形態特徴は、ホログラムと光学的可変インクによるマーキングとを含む。ホログラムの場合、特別に設計されたホログラフィックパターンを探すことになり、光学的可変インクの場合、マークを付けられたパターンは、異なる角度から見たとき、異なる色を示す。
【０００６】
レベル２−セキュリティ対策は、単純であり、容易に入手できる検出機器によるインタロゲーションを必要とする隠蔽、または、半隠蔽形態特徴の使用を伴う。実施例には、ダウンコンバータ・タガントおよびアップコンバータ・タガントを含有するインクで作られた蛍光マークが付けられている紙幣に印刷されたセクタが含まれる。この場合、インクが塗布された物体または製品の検証のための紫外線または赤外線レーザーインタロゲーション源だけが必要とされる。適切な波長帯内の光がタガント含有インクに照射されるとき、タガントが原因となって、インクは、肉眼で容易に観察され得る可視光を放射することになる。代替的に、インクは、このタガントが原因となって、肉眼では見えないが、適当な読み取り装置によって読み取り可能であり、かつ、検証可能である波長を持つ放射線を放射することがある。
【０００７】
最後に、レベル３−セキュリティ対策は、一般には物体または製品のブランド製造業者または紙幣印刷局だけに知られ、市場では商業的に容易には入手できない専用インタロゲーションツールによって、通常はリアルタイムではなく、検証され得る形態特徴使用を伴う。
【０００８】
米国特許出願公開第２０１０／０１４９５３１号は、レベル２−認証対策を対象にするものであり、符号化された読み取り可能なセキュリティ形態特徴において使用されるタガントを含んでいる、または、タガントの一部を形成する画像を含む物体または製品の認証方法について記載する。符号化された読み取り可能な形態特徴は、物体または製品を識別および検証する認証プロセスを受ける。しかしながら、タガントは、識別および認証セキュリティ形態特徴の唯一のソースを表現するので、画像の機械読み取り可能なセキュリティ形態特徴が符号化されるならば、その結果、画像は、知的財産保護を受けた形態特徴を含むこと、または、形態特徴の一部を形成することはない。結果的に、偽造者は、符号化された画像を含んでいるまたは使用している偽造または侵害物体または製品をこのような物体および製品が販売される商業的な流れに取り込むことが比較的簡単であることを見つけるであろう。例えば、侵害者は、タガントを識別、調達および考案し、画像の符号化されたセキュリティ形態特徴を再現し、これを複製もしくは偽造物体または製品に適用し、その後、このような物体または製品を商業的な流れに取り込む方法を評価し、最終的に決定することがあり得る。
【０００９】
代替的に、偽造者は、偽造者の符号化された画像を読み取るように、タガントを含有する、または、タガントの一部を形成する画像の既存の符号化されたセキュリティ形態特徴を読み取るために使用される認証読み取り装置を復号化し、再プログラムする方法を評価し、最終的に決定することがあり得る。これらのアプローチの一方または両方を採用することにより、偽造者は、物体または製品における所有者または販売業者の知的財産権を侵害することなしに、物体または製品の所有者または販売業者によって使用されている認証プロセスまたは対策を回避することに成功することがあり得る。
【００１０】
米国特許第８，４０３，２２３号もレベル２−セキュリティ対策を対象にするものであり、読み取り可能な形態特徴を有し、テキスタイルを識別、認証および追跡するために使用される２つの不可視デザインを含んでいるテキスタイルのための認証方法について記載する。しかしながら、この場合も、不可視デザイン自体が知的財産保護を受けた形態特徴ではない、または、知的財産保護を受けた形態特徴を含まない場合、不可視デザインは、テキスタイルを識別および認証する唯一のセキュリティ形態特徴として役立つ。その結果として、偽造者は、この場合も、テキスタイルにおける所有者または販売業者の知的財産権を侵害することなしに、偽造物、複製テキスタイルを商業的な流れに取り込むことが比較的簡単であることを見つけるであろう。
【先行技術文献】
【特許文献】
【００１１】
【特許文献１】米国特許出願公開第２０１０／０１４９５３１号明細書
【特許文献２】米国特許第８，４０３，２２３号明細書
【発明の概要】
【課題を解決するための手段】
【００１２】
本発明は、
ａ）知的財産保護を受けた形態特徴と、
ｂ）非隠蔽および／または隠蔽部分を有する機械読み取り可能な形態特徴と、
を備え、前記知的財産保護を受けた形態特徴が、真正性を判定するために認証装置によって、機械読み取り可能な形態特徴として単独で認識されるか、または、機械読み取り可能な形態特徴の少なくとも一部分と組み合わせて認識される、セキュアグリフを提供する。
【００１３】
その上に、本発明は、セキュアグリフが付けられている物体または製品と、物体または製品を設けることと、本明細書において前述されたセキュアグリフを物体または製品に貼り付けるもしくは取り付ける、印刷するもしくは塗布する、および／または、組み込むこととを含む、セキュアグリフが付けられている物体または製品を製造する方法とをさらに提供する。
【００１４】
本発明は、セキュアグリフが付けられている物体または製品の真正性を判定する認証装置であって、
ａ）単独でまたは機械読み取り可能な形態特徴と組み合わせて、知的財産保護を受けた形態特徴からの信号応答に対応する関連データを収容しているデータベースと、
ｂ）ｉ）単独でまたはセキュアグリフに付けられた機械読み取り可能な形態特徴と組み合わせて、知的財産保護を受けた形態特徴から信号応答を発生できる信号発生器と、
ｉｉ）単独でまたは機械読み取り可能な形態特徴と組み合わせて、知的財産保護を受けた形態特徴からの信号応答を受信できる信号応答検出器と、
ｉｉｉ）検出器からの信号応答とデータベース内の該当する関連データとを比較する信号処理ユニット（ＳＰＵ）とを有する認証読み取り装置と、
を備える、認証装置をさらに提供する。
【００１５】
本発明は、認証対象である物体または製品と組み合わせて用いるため、認証装置が関連付けられたまたは組み込まれた機器をさらに提供する。
【００１６】
その上に、本発明は、認証対象である物体または製品と組み合わせて用いるため、認証装置が関連付けられたまたは組み込まれた機器を製造するプロセスであって、認証装置を機器に組み込むことを含むプロセスをさらに提供する。
【００１７】
その上に、本発明は、セキュアグリフを有する物体または製品が機器において特定の意図された目的のため受け入れられ、使用されることを許可する方法であって、セキュアグリフが、
ａ）知的財産保護を受けた形態特徴と、
ｂ）機械読み取り可能な形態特徴と、
を備え、
ｃ）ｉ）単独でまたは物体もしくは製品に付けられたセキュアグリフの機械読み取り可能な形態特徴の少なくとも一部分と組み合わせて、知的財産保護を受けた形態特徴を検出し、認証するために機器に接続された認証装置を使用することと、
ｉｉ）機器において物体または製品の意図された使用を許可することと、
を含む方法を提供する。
【００１８】
本発明は、第１の品物が第２の品物と組み合わせて使用されることを許可するシステムであって、
ａ）検出器を用いてグリフの独特の形態特徴を検出することにより本発明によるグリフが付けられている第１の品物を認証することと、
ｂ）第１の品目が第２の品目と組み合わせて使用されることを許可することと、
を含むシステムをさらに提供する。
【００１９】
最後に、本発明は、真正性を判定するセキュアグリフが貼り付けられたもしくは取り付けられた、印刷されたもしくは塗布された、および／または、組み込まれた物体または製品の真正性を判定する認証方法であって、セキュアグリフは、
知的財産保護を受けた形態特徴と、
隠蔽および／または非隠蔽部分を有する機械読み取り可能な形態特徴と、
を有し、
前記知的財産保護を受けた形態特徴は、真正性を判定するために認証装置によって、機械読み取り可能な形態特徴として単独で認識される、または、機械読み取り可能な形態特徴である少なくとも一部分と組み合わせて認識され、
物体または製品を
（ｉ）単独でまたは機械読み取り可能な形態特徴と組み合わせて、知的財産保護を受けた形態特徴からの信号応答に対応する関連データを収容しているデータベースと、
（ｉｉ）単独でまたはセキュアグリフに付けられた機械読み取り可能な形態特徴と組み合わせて、知的財産保護を受けた形態特徴から信号応答を発生できる信号発生器と、単独でまたは機械読み取り可能な形態特徴と組み合わせて、知的財産保護を受けた形態特徴からの信号応答を受信できる信号応答検出器と、検出器からの信号応答とデータベース内の該当する関連データとを比較する信号処理ユニット（ＳＰＵ）とを有する認証読み取り装置と、
を有する認証装置にかけることと、
認証読み取り装置からの出力を承認し、使用することと、
を含む認証方法を提供する。
【００２０】
発明のこれらの、ならびに、その他の目的、利点、および特徴は、方法の詳細を読むと、さらに詳しく後述するように、当業者にとって明白になるであろう。
【図面の簡単な説明】
【００２１】
【図１】本発明の実施形態による認証装置のブロック図である。
【図２】アナログ信号が離散デジタル値に変換されたスペクトル曲線を表す図である。
【図３】本発明の特定の実施形態による典型的な物体または製品認証作業フローを表す図である。
【図４】特定のタガント材料を識別するために走査すべきスペクトル範囲を例示する図である。この例示では、タガント１を読み取るためにＷＬ１からＷＬ２までを走査し、タガント２を読み取るためにＷＬ３からＷＬ４まで走査する２つのタガントが存在する。
【図５】４回の回転対称性をもつセキュアグリフと、セキュアグリフの幾何学的模様、その位置、およびその他のグラフィックスを識別するため４台の読み取り装置とを例示する図である。
【図６】読み取り装置がセキュアグリフの幾何学的模様、位置、およびその他のグラフィックスを検出できない位置まで回転させられた、４回の回転対称性をもつセキュアグリフと４台の読み取り装置とを例示する図である。
【図７】セキュアグリフの幾何学的模様、位置、およびその他のグラフィックスが読み取り装置によって完全に識別された、６回の回転対称性をもつセキュアグリフと３台の読み取り装置とを例示する図である。
【図８】向きが図７における向きと同じではないが、セキュアグリフの幾何学的模様、位置およびその他のグラフィックスが読み取り装置によって完全に識別された、６回の回転対称性をもつセキュアグリフと、３台の読み取り装置とを例示する図である。
【図９】４つの着色領域を有するセキュアグリフと、４台の色選択性読み取り装置とを表す図である。各読み取り装置に対する信号応答は、グリフが４つの別個の光の波長を用いてインタロゲートされ、これらの４つの光の波長を区別できる読み取り装置、カメラ、分光光度計などによって読み取られるとき、指定された色のセキュアグリフの面積に比例する。
【図１０】４つの着色エリアを有するセキュアグリフと４つの色選択性読み取り装置とを表す図である。このセキュアグリフに対する信号応答と、それ故に、このセキュアグリフの回転対称性の有無（すなわち、４回の回転対称性の１つの正方形として見えるか、または、回転対称性のない４つの結合した正方形として見えるか）は、光のどの波長がセキュアグリフをインタロゲートするために使用されるかに応じて異なることがある。
【図１１】３つの機能性：（１）商標機能（その形状）、（２）ＲＦＩＤアンテナ機能、ならびに（３）本発明の認証システムおよび方法に従って物体または製品を認証するためのセキュアグリフ機能を有する商標グリフを例示する図である。
【図１２】既知の表色系によって指定され、少なくとも１つの印刷用インク配合が認証読み取り装置によって読み取られるべき機械読み取り可能な隠蔽タガントを含んでいる２つの異なる印刷用インク配合から形成された様々な色が印刷された、商標グリフを表す図である。
【図１３】図１２の商標グリフを印刷するために使用された印刷用インク配合の２つの主要な色の分光反射率を表す図である。
【図１４】図１２の商標グリフを印刷するために使用された、隠蔽された機械読み取り可能なタガントとして低濃度のメチレンブルーを含有している印刷用インク配合の２つの主要な色の分光反射率を表す図である。
【図１５】図１２の商標グリフの着色部分に存在するメチレンブルー機械読み取り可能なダウンコンバータ・タガントを励起するために使用されたダイオードレーザーの異なる発光強度を、タガントを含有している印刷用インク配合に対する２つの異なる印刷フィルム層厚さと共に表す図である。
【図１６】従来の印刷用インク配合を用いて印刷されたレベル１−セキュリティ対策商標グリフを表す図である。商標グリフは、人間の目に見えると共に、認証装置として使用された光学式文字読取装置またはカメラを用いて機械読み取り可能である。
【図１７】機械読み取り可能な形態特徴が認証読み取り装置によって読み取られるべきタガントを含有している印刷用インク配合である、印刷された商標グリフを表す図である。
【図１８】機械読み取り可能な形態特徴が認証読み取り装置によって読み取られるべきタガントを含有している印刷用インク配合である、印刷された商標グリフを表す図である。
【図１９】知的財産保護を受けた形態特徴が従来の印刷用インクと認証読み取り装置によって読み取られるべきタガントを含有している機械読み取り可能な印刷用インク配合との組み合わせとして認識される、印刷された商標グリフを表す図である。
【図２０】機械読み取り可能な形態特徴が認証読み取り装置によって読み取られるべき異なるタガントを含有している印刷用インク配合である、印刷された商標グリフを表す図である。
【図２１】知的財産保護を受けた形態特徴が従来の印刷用インクと認証読み取り装置によって読み取られるべきタガントを含有している機械読み取り可能な印刷用インク配合との組み合わせとして認識される、図１９における印刷された商標グリフの別のバージョンを表す図である。
【図２２】知的財産保護を受けた形態特徴が従来の印刷用インクと認証読み取り装置によって読み取られるべきタガントを含有している機械読み取り可能な印刷用インク配合との組み合わせとして認識される、図１９における印刷された商標グリフのさらに別のバージョンを表す図である。
【図２３】機械読み取り可能な形態特徴がタガントインクオーバーレイ付きのタガントを含有している印刷用インク配合である、印刷された商標グリフを表す図である。
【図２４】機械読み取り可能な形態特徴がタガントインクオーバーレイ付きのタガントを含有している印刷用インク配合である、印刷された商標グリフを表す図である。
【図２５】従来技術によって印刷された商標を表現する図である。より具体的には、商標（すなわち、知的財産形態特徴）は、従来の印刷用インク配合を用いて印刷され、その後に、機械読み取り可能な（例えば、タガントを含有している）オーバーレイコーティング物が塗布される。従って、商標自体は、単独で機械読み取り可能な形態特徴として認識され得るように印刷されるものではない。認証装置は、この装置によるオーバーレイの中の機械読み取り可能な形態特徴の機械読み取りが知的財産保護を受けた形態特徴と決して関連付けられることがないので、商標を認識するために使用され得ない。
【図２６】知的財産保護を受けた形態特徴が２つの区別できる機械読み取り可能な形態特徴：（１）タガントを含有するインクが上に重ねられた従来の印刷用インク、および（２）タガントを含有するインクオーバーレイによって構成されている、セキュアグリフを表す図である。知的財産保護を受けた形態特徴は、認証装置によるインタロゲーションにより、２つの機械読み取り可能な形態特徴の組み合わせを用いて認識されるであろう。
【図２７】知的財産保護を受けた形態特徴が３つの区別できる機械読み取り可能な形態特徴：（１）タガントを含有するインクが上に重ねられた従来の印刷用インク、（２）セキュアグリフの知的財産形態特徴の部分を表現するために使用された２つのタガントインクの組み合わせ、および（３）タガントを含有するインクオーバーレイによって構成されている、セキュアグリフを表す図である。知的財産保護を受けた特徴は、認証装置によるインタロゲーションにより、３つの機械読み取り可能な形態特徴の組み合わせを用いて認識されるであろう。
【発明を実施するための形態】
【００２２】
本発明は、セキュアグリフと、セキュアグリフが付けられている物体または製品と、物体または製品を製造する方法と、認証装置、認証装置を組み込んでいる機器と、機器を製造するプロセスと、機械を用いて物体または製品の使用を認証および／または許可し、従って、認証されていない／真正ではない物体または製品の使用を阻止または禁止する方法と、認証方法とを提供する。
【００２３】
物体または製品に直接的に、または、物体または製品に関連付けられた蓋もしくはラベルなどの基材に、検出器によって検出され得る識別子を位置付けることにより、認証されていない物体または製品の使用を阻止するための試みが行われている。このように、物体または製品の使用は、認証読み取り装置が識別子を認識したときに限り許容される。
【００２４】
レベル２−セキュリティ対策を採用する識別子が一意的であり、営業秘密情報を構成し、ハッキングされ得ない、コピーされ得ない、またはそうでなければ再現され得ないことは、既に考えられている。しかしながら、識別子が定期的に再構成または再考案されるとしても、無許可の製作業者、供給業者および／または販売業者が検出器によって検出されるように識別子を非真正物体または製品に位置付けることを可能にさせ、それによって、機器で非真正物体または製品の使用を許可するために必要な精度で再現され得るとき、問題が起こる。
【００２５】
その上に、識別子が一意的なタガント配合などの特許保護の対象である場合でも、このような配合を再現した者が実際に特許を侵害していることを証明することは、困難であり、かつ、非常に複雑である。
【００２６】
本発明は、機械読み取り可能な形態特徴と、セキュアグリフの知的財産形態特徴の侵害を証明し、知的財産権の所有者が物体または製品の偽造または無許可の複製もしくは再現を証明できるようにするために利用され得る知的財産保護を受けた形態特徴とを有するセキュアグリフを用いることにより上記課題を解決する。
【００２７】
その結果、セキュアグリフを再現しようとする無許可の製作業者、供給業者および／または販売業者は、セキュアグリフを偽造、複製、もしくは再現、および／または使用したことにより、直ちにセキュアグリフの知的財産形態特徴の無許可の使用の責任を負い、知的財産侵害訴訟を起こされ、付随する賠償を課されることになることを前提として、セキュアグリフを再現することを思いとどまらせる。
【００２８】
このように、本発明は、ほとんどの場合、通常の特許権保護が２０年の存続期間に限定されるが、商標権保護は存続期間が無限であることを考えると、例えば、商標所有者に付与された、通常の特許補償対象となるタガントなどのセキュリティ保護対策の存続期間を延長することができる。この特定の態様は、物体または製品が市場における物体または製品に対する通常の特許の補償の存続期間を超える市場存続期間を有することが珍しくないことを考えると、有利である。
【００２９】
本明細書において使用される用語「グリフ」は、思想、着想および概念を書き出し、それによって、表現または伝達する目的のため読み取り可能な（例えば、機械読み取り可能な）形態特徴を表現することが意図された、合意されたシンボルの組の範囲内でデザイン上の形態特徴を有する基本的なシンボルを定義する。グリフは、集合的に単語のスペルになる、または、そうでなければ、文化的、社会的および／または社会慣習的用法に応じて、記述物の具体的な意味をもたらすことができる一意的なマークであると考えられている。
【００３０】
本明細書において使用される用語「セキュアグリフ」は、知的財産保護を受けた形態特徴および機械読み取り可能な形態特徴を有する要素を定義する。
【００３１】
知的財産保護を受けた形態特徴
知的財産保護を受けた形態特徴は、本明細書において、例えば、商標権、営業秘密、著作権または登録意匠などの少なくとも１つの知的財産権によって表現され、かつ、保護できる、または、保護された形態特徴として定義される。
【００３２】
特に、知的財産保護を受けたグリフの形態特徴は、例えば、認証装置によるグリフのインタロゲーションによって直ちに再生される著作権のあるジングルでもよい。
【００３３】
知的財産保護を受けた形態特徴は、好ましくは、少なくとも１つの単独の人間感覚によって認識可能である。従って、知的財産保護を受けた形態特徴は、人間の目を用いて視覚認識可能、聴覚認識可能、嗅覚認識可能、および／または接触によって認識可能であることがある。知的財産保護を受けた形態特徴が少なくとも１つの単独の人間感覚によって認識可能であるとき、この形態特徴は、「非隠蔽」であると考えられる。代替的に、知的財産保護を受けた形態特徴の認識は、少なくとも１つの単独の人間感覚によって認識できないとき、検出器の使用を必要とすることがあり、それ故に、「隠蔽」であると考えられる。知的財産保護を受けた形態特徴は、非隠蔽および／または隠蔽部分を備えることもある。
【００３４】
特に、知的財産保護を受けた形態特徴は、著作権により保護されたフレーズもしくはスローガン、香り、画像、または、商標権もしくは営業秘密により保護されたデザインであり得る。
【００３５】
通常、知的財産保護を受けた形態特徴は、肉眼で認識可能であり、好ましくは、登録商標の対象である。
【００３６】
知的財産保護を受けた形態特徴が商標である場合、セキュアグリフは、登録商標、商号またはロゴを表すように特別に設計され、そして、認証を必要とする物体または製品に貼り付けられたもしくは取り付けられた、印刷されたもしくは被覆された、および／または、組み込まれた、或いは、そうすることができる特定のタイプのセキュアグリフである「商標グリフ」であると考えられる。
【００３７】
知的財産保護を受けた形態特徴および機械読み取り可能な形態特徴は、セキュアグリフの真正性を判定するために認証装置によって、それぞれが単独で、または、互いに組み合わせて、もしくは、互いに関連して認識されることがある。
【００３８】
知的財産保護を受けた形態特徴は、その形状、幾何学的配置、および／または対称性に基づいて認証読み取り装置によって認識されることがある。
【００３９】
発明の特定の実施形態では、少なくとも１つの機械読み取り可能な形態特徴は、知的財産保護を受けた形態特徴の内部に位置付けられるか、知的財産保護を受けた形態特徴全体を構成するか、または、知的財産保護を受けた形態特徴の離散的な部分もしくは区域だけを構成する。
【００４０】
セキュアグリフの機械読み取り可能な形態特徴は、非隠蔽部分および／または隠蔽部分も含むことがある。
【００４１】
セキュアグリフ
本発明のさらなる実施形態では、セキュアグリフ全体は、機械読み取り可能な形態特徴から形成されることがある知的財産保護を受けた形態特徴を構成することがある。
【００４２】
セキュアグリフは、知的財産保護を受けた形態特徴および機械読み取り可能な形態特徴が共に隠蔽部分しか持たないとき、そのままでは、「肉眼」で見えないことがあり、知的財産保護を受けた形態特徴および／または機械読み取り可能な形態特徴のいずれかが少なくとも１つの非隠蔽部分を有するとき、「肉眼」で見えることがある。
【００４３】
その上に、セキュアグリフは、マーク、商標、ロゴ、文字、英数字、図面、写真、記号、絵文字、象形文字、シンボル、画像、幾何学的物体、および／または、エンボス加工もしくは変形された領域などのどのような幾何学的な形態またはパターンでもよい。
【００４４】
セキュアグリフデザインは、典型的に、セキュアグリフの位置がその認識に決定的ではないように、「ｎ回」の回転対称性としても知られている十分に高度の回転対称性を有する。
【００４５】
認証読み取り装置が情報のうちの単一の画素または非常に少数の画素だけを読み取ることができる場合、セキュアグリフは、例えば、円形ドットまたはリングなどの無数の回転対称性を必要とするものであるが、認証読み取り装置が２または３画素を読み取ることができる場合、６回の回転対称性を有するものである正六角形を確実に認識することができる。
【００４６】
好ましくは、セキュアグリフは、少なくとも３回の回転対称性、より好ましくは、少なくとも４回の対称性、有利には、少なくとも６回の回転対称性を有する。
【００４７】
従って、本発明の一実施形態では、セキュアグリフは、１つまたは全部が認証読み取り装置によって読み取られることがあるように十分に高度の回転対称性をもつ複数の形態特徴を備える。
【００４８】
正多角形を有するセキュアグリフの実施例は、図７および図８に表されているが、星形の正多角形を有するセキュアグリフは、図５および図６に表されている。
【００４９】
その結果として、図７および図８に表されているような形をしたセキュアグリフは、向きにかかわらず複数の点で読み取られる可能性があるが、図５および図６に表されているような形をしたセキュアグリフでは、肯定的認識に正しい向きが必要である。
【００５０】
代替的に、セキュアグリフは、回転対称性が不足するように設計されることがある。回転対称性を欠いているセキュアグリフは、数字、文字、単語、マーク、（限定されることなく、中国語、日本語および韓国語の単語を表現するために使用される文字を含む）文字、（例えば、古代エジプト語の単語を表現するために使用される象形文字を含む）象形文字、絵文字などを含む。
【００５１】
認証読み取り装置
本発明の一実施形態では、認証読み取り装置は、セキュアグリフ全体を読み取るものである。
【００５２】
しかしながら、代替的な実施形態では、認証読み取り装置は、セキュアグリフの一定の点または区分だけを読み取るものであり、これは、セキュアグリフのデザインにおけるより大きい表現と、偽造に応答して、または、セキュアグリフもしくはセキュアグリフの別の読み取り可能なセキュリティ形態特徴の変更に応答して、セキュアグリフの異なる領域をサンプリングするために認証装置を再プログラムすることとを可能にさせる。
【００５３】
有利なことに、セキュアグリフは、認証読み取り装置が一貫した方法でセキュアグリフを認識するように、セキュアグリフの向きを正規化する手段、例えば、方向マークもしくはシンボルが設けられる。
【００５４】
この正規化は、物体または製品の別の場所に現れる固定の点、線または形状を読み取るさらなる読み取り装置を設け、読み取り値を一体として結合してセキュアグリフの相対的な向きおよび位置を計算する手段を設けることによって実現され得る。
【００５５】
その上に、セキュアグリフは、物体または製品の表面から異なる高さ、いわゆる３Ｄ効果を示す物理的な構造体により構成されることがあり、読み取り装置は、物体または製品の表面より上の様々な高さでセキュアグリフの位置を検出する。
【００５６】
本実施形態の１つの限定されない実施例は、光を用いてインタロゲートされたとき、前記光を点または線に再集光する特性を有するものである凹面鏡（円形、放物面、または楕円）である。別の限定されない実施形態は、光、特に、限定されることなく可視波長光を用いてインタロゲートされたとき、セキュアグリフを認証すること、および、可視化することの両方のために使用されることがある光の限定された反射パターンが存在することになるマイクロレンズアレイである。
【００５７】
機械読み取り可能な形態特徴
機械読み取り可能な形態特徴は、典型的に、アップコンバータと、ダウンコンバータと、赤外線放射吸収体と、量子ドットと、ＲＦＩＤアンテナと、蛍光組成物と、液晶と、動電学的材料と、サーモクロミック材料と、フォトクロミック材料と、ピエゾクロミック材料と、音響化学的材料と、強磁性体、反強磁性体、フェリ磁性体および常磁性体などの磁性材料と、マルチスペクトルイメージングにより読み取り可能な染料または顔料の組み合わせと、ラマン分光法により読み取り可能な材料と、これらの組み合わせとから選択される。
【００５８】
好ましくは、適当な機械読み取り可能な形態特徴は、例えば、蛍光染料、顔料、自然光もしくは室内光で見えるもしくは見えないナノ粒子、シリコン２，３−ナフタロシアニンビス（トリヘキシルシリルオキシド）、および／または、その他のナフタロシアニン金属錯体化合物、および／または、その他のシアニン、ナフトシアニン、またはフタロシアニン色素などの顔料、ＣｄＴｅ、ＣｄＳｅ、ＰｂＳ、ＰｂＳｅ、ＩｎＡｓなどのガラス封入ナノ粒子、ＹＡＧ：Ｎｄ、Ａｌ２Ｏ３：Ｎｄなどの蛍光体、および／または、様々なその他の蛍光体ベースのＩＲ活性ナノ粒子などの材料から形成されることがある。
【００５９】
有利なことに、機械読み取り可能な形態特徴は、好ましくは、セキュアグリフが、例えば、Ｘ線、ＵＶ（紫外）線、可視光、またはＩＲ（赤外）線などの電磁周波数のようなある一定の励起源に晒されるとき、発光スペクトルまたは信号応答を生成する蛍光タガント材料で作られている。発光スペクトルは、ＵＶ、可視またはＩＲスペクトル域にあることがある。
【００６０】
機械読み取り可能な形態特徴のための材料または材料群は、有機でも無機でもよく、例えば、粉末、液体、および／または、液体に溶解している固体などの固体でもよく、または、液体中に懸濁もしくは分散を形成することがある。各蛍光タガント材料は、それ自体の固有励起パターンおよび発光スペクトルを有するものである。
【００６１】
第２のセキュアグリフの発光スペクトルを励起するために、例えば、種々の固有励起パターンおよび発光スペクトル、または、１つのセキュアグリフの一連の発光スペクトルを有する種々の材料を種々の比率で使用するセキュアグリフの組み合わせが機械読み取り可能な形態特徴として使用されることもある。
【００６２】
さらなる実施例として、機械読み取り可能な形態特徴のための材料の混合物は、同一のまたは異なる励起波長を有することがあるので、タガント材料の混合物が使用されるとき、各材料の個別の発光ピークが考慮されるだけでなく、この特定の混合物に対するスペクトルプロファイル全体も重要である。
【００６３】
それ故に、単一ピーク発光の場合でも、隣接する波長の発光振幅が測定され、考慮に入れられることがある。加えて、発明において用いられたいくつかの蛍光タガント材料に対して、例えば、発光応答時間および遅延時間などの発光の動的特性は、セキュアグリフの重要な検証基準を構成することもある。
【００６４】
隠蔽、すなわち、肉眼では見えない機械読み取り可能な形態特徴は、不可逆的なサーモクロミックまたはフォトクロミックタガント材料を含む。これらのタガント材料は、典型的には、タガント材料の状態または特性の物理的な変化によってセキュアグリフが肉眼で見えるようにする適当かつ適切な種類の熱源または光源を有する読み取り装置を使用して照射によってインタロゲートされる。
【００６５】
典型的には、肉眼では見えないセキュアグリフは、紫外線活性光開始剤を含む。中に組み込まれた紫外線架橋性成分と一緒に、これらのタガント材料は、適当かつ適切な紫外線光源で照射されると、タガント材料の光重合開始および屈折率変化の結果として、肉眼で見えるようになる。
【００６６】
その上に、肉眼では見ることができず、単独で、もしくは、複数の方法で読み取り装置によってインタロゲートされる、または、２種類以上の読み取り可能な形態特徴を有するセキュアグリフは、希土類酸化物または硫化物から形成されることがある。これらのタガントまたはその他の種類の機械読み取り可能な材料は、電磁放射線によってインタロゲートされたとき、アップコンバージョンおよびダウンコンバージョンの両方の読み取り可能な特性を示す。ダウンコンバージョン特性を示すセキュアグリフの限定されない実施例は、固有のスペクトル特性を有する着色顔料と、米国特許第６，６１０，３５１号に記載されているようなラマン活性セキュアグリフとの組み合わせということになる。
【００６７】
タガント材料をセキュアグリフに組み込むことは、インタロゲーション中にセキュアグリフの読み取り装置可視化に変化をもたらすが、セキュアグリフによって提供された唯一のセキュリティまたは認証用形態特徴である必要はないことが当業者に認められるであろう。
【００６８】
本発明のセキュアグリフは、２つ以上の方法で、例えば、単一のセキュアグリフもしくは複数のセキュアグリフとして、または、上記タガントのうちの１つ以上をセキュアグリフに組み込むことによって、認証読み取り装置によりインタロゲートされることがある。
【００６９】
本発明のさらなる実施形態では、セキュアグリフまたは各々が所有している読み取り可能なセキュリティ形態特徴のデザインまたは種類が同一であること、または、異なることがある１つ以上のセキュアグリフが物体または製品に存在することがある。
【００７０】
その上に、少なくとも１つの付加的なセキュア形態特徴が物体もしくは製品に、または、物体もしくは製品に関連付けて位置付けられることがある。
【００７１】
特に、少なくとも１つの付加的なセキュア形態特徴は、第２のセキュアグリフでもよく、または、第１のセキュアグリフと同一のもしくは異なる手段によってインタロゲート可能なセキュア形態特徴でもよい。付加的なセキュア形態特徴は、セキュアグリフと同じ読み取り装置によって読み取られることがあり、または、第１の読み取り装置から遠く離れた、もしくは、第１の読み取り装置に不可欠である第２の機器によって読み取られることがある。
【００７２】
この特定の実施形態の１つの利点は、認証装置が物体または製品をそれでもなお真正ではないと認識するので、セキュアグリフの偽造者が偽造物体または製品を使用できないことである。認証装置は、これらの環境の下で、物体または製品を真正ではないとして全面的に拒絶し、または、偽造されたセキュアグリフの可視化を受け入れ、従って、セキュアグリフに含まれる商標またはその他の知的財産を表示するように構成されることがある、と認められるであろう。これは、偽造者をグリフに関連付けられた商標またはその他の知的財産の無許可の使用者にするであろう。
【００７３】
物体または製品を製作する方法
本発明は、セキュアグリフが付けられている物体または製品と、この物体または製品を製作する方法とをさらに提供する。
【００７４】
この物体または製品は、典型的に、飲料自動販売機カップ、蓋、カバーまたはラベルである。
【００７５】
セキュアグリフは、セキュアグリフの機械読み取り可能な形態特徴を形成するために使用されるタガント材料を物体または製品の原材料に混合することにより、物体または製品の製造プロセス中に物体または製品に組み込まれることがあり、このようにして、機械読み取り可能な形態特徴は、物体または製品の不可欠な部分になる。
【００７６】
特に、使用されたタガント材料が粉末であるとき、タガント材料は、プラスチックビーズ、充填材、もしくは、接着剤と混合され、または、例えば、織物、織布、不織布、糸繊維、段ポール、コンクリート、ポリマー、ガラス、木材、（貨幣、証明書、許可証、身分証明書、およびパスポートを含む）紙、金属、プラスチック、セラミック、布および皮革などの基材に組み込まれることがある。
【００７７】
代替的に、セキュアグリフは、物体もしくは製品にエンボス加工される、または、接着剤を用いて物体もしくは製品に取り付けられることがある。
【００７８】
好ましくは、セキュアグリフは、印刷用インク、塗料、エポキシまたはラッカーを使用して物体または製品の表面に印刷される、または、被覆されることがある。
【００７９】
上記塗布技術の組み合わせが利用されることがある。
【００８０】
認証
本発明は、真正の知的財産保護を受けた形態特徴単独から、または、機械読み取り可能な形態特徴と組み合わせて発生させられた信号応答に対応する、または、関連付けられたデータを収容しているデータベースと、認証読み取り装置とを備える認証装置をさらに提供する。
【００８１】
好ましくは、認証装置は、出力機器と、有利なことに、表示ユニットとを含む。
【００８２】
認証読み取り装置は、単独でまたは機械読み取り可能な形態特徴と組み合わせて、知的財産保護を受けた形態特徴単独から信号応答を発生できる信号発生器と、単独でまたは機械読み取り可能な形態特徴と組み合わせて、知的財産保護を受けた形態特徴からの信号応答を受信できる信号応答検出器と、検出器からの信号応答とデータベースに記憶された信号応答とを比較する信号処理ユニット（ＳＰＵ）とを備える。
【００８３】
認証読み取り装置は、物体または製品を認証するために、セキュアグリフから情報を獲得し、獲得された情報に基づいて分析を実施するので、認証方法において重大な役割を果たす。
【００８４】
有利なことに、獲得された情報は、データベースに記憶されることがあり、例えば、インターネットを介して、物体のブランド所有者およびその他の合法的な利害関係者に通信されることもある。その上に、ブランド所有者または他の合法的な利害関係者によって取得された情報は、分析され、有利なことに、物体または製品に付けられたセキュアグリフの真正性を認識する改良された手段を認証装置に教示するために使用されることがある。
【００８５】
付加的に、獲得された情報は、応答信号を物体または製品のユーザに関連付けられた通信機器に供給するために使用されることもあり、例えば、Ｂｌｕｅｔｏｏｔｈ(登録商標)を介してスマートフォンにテキストメッセージを送信して、ユーザが受賞したことをユーザに通知し、または、ユーザを特に興味深いウェブサイトに案内する。
【００８６】
本発明の１つの特定の実施形態では、認証読み取り装置は、セキュアグリフの知的財産保護を受けた形態特徴全体を表す信号応答を検出し、認識することがあるので、認証読み取り装置は、セキュアグリフを把握し、知的財産保護を受けた形態特徴を同様に把握している、と考えられる。
【００８７】
これは、例えば、セキュアグリフの機械読み取り可能な形態特徴が、それ自体で、商標の形をしている場合に当てはまり、認証読み取り装置がセキュアグリフを読み取るとき、この認証読み取り装置は、さらに物体または製品に現れる商標としてセキュアグリフを読み取り、使用している。
【００８８】
代替的に、認証読み取り装置は、知的財産保護を受けた形態特徴に関連付けられ、その後、データベース内の（例えば、信号応答などの）関連データと比較される信号応答を検出し、認識することがあり、その際に、セキュアグラフの知的財産保護を受けた形態特徴全体が生成され、それ故に、全体として認証装置だけがセキュアグリフおよび知的財産保護を受けた形態特徴を把握している、と考えられる。
【００８９】
有利なことに、どちらのシナリオでも、知的財産保護を受けた形態特徴は、場合によっては、セキュアグリフ自体の場所から遠くにある、または、セキュアグリフ自体の場所の近くにあることがある認証装置の表示ユニットに表示され得る。
【００９０】
認証読み取り装置の信号発生器は、通常では、例えば、ＵＶおよび／またはＩＲ光源などの少なくとも１つの光源を提供する励起源を含む。
【００９１】
その上に、信号発生器は、検出器への最適化された伝達のため、例えば、光学顕微鏡、集束レンズ、色フィルタ、反射体および光ファイバなどの励起伝達源を含むことがある。
【００９２】
認証読み取り装置の信号応答検出器は、電磁スペクトルの可視部および非可視部からの光を分析できるマルチスペクトル画像分析器（ハイパースペクトル画像分析器）を含むことがある。
【００９３】
好ましくは、マルチスペクトル分析器は、信号応答のＲＧＢ成分を収集するために使用されるＲＧＢ（赤、緑、青）センサである。
【００９４】
ＲＧＢセンサは、Ｒ、ＧおよびＢ成分と全信号強度（Ｗ）とのための出力チャンネルを有し、図２および図４に例示として説明されているように、信号濃度を示すために信号応答の色と全信号強度とを提供する。センサ出力は、電圧型、電流型またはパルス周波数型のいずれの可能性もある。
【００９５】
その上に、ＲＧＢセンサは、ＲＧＢ信号放射プロファイルの分析において３つの漸進的なセキュリティのレベルを備え、つまり、波長、ピーク発光強度波長の発光強度ピーク、ピーク波長、および、相対振幅と、ピーク波長での相対強度振幅のピーク波長と、「全」波長での発光強度の振幅である。
【００９６】
完全発光スペクトルの全域での発光強度は、各棒の振幅および幅がＳＰＵによって記録され、信号応答の分析のため使用される棒グラフを形成するためにデジタル化されることがある。可視域におけるセキュアグリフに対する完全発光スペクトルが取得された場合、発光色がセキュアグリフの付加的な認証特性として役立つようにさらに計算され得る。加えて、高速応答分光計は、認証アルゴリズムにもう１つの次元を与えるために信号放射強度に比例するように設定され得る。
【００９７】
認証保護のさらに別の層は、信号応答の応答時間（立ち上がり時間および／または減衰時間）を記録し、これを別の認証用の読み取り可能な形態特徴基準として設定することができる応答時間ＲＧＢセンサを使用することによりさらに提供されることがある。係る実施形態では、データベース記録は、特定のセキュアグリフの名前−ＲＧＢ値、強度、減衰時間−製品情報に対するデータを収容するものである。
【００９８】
たとえば、多色グリフなどのセキュアグリフが肉眼で見えるとき、セキュアグリフから放射された色信号の強度は、セキュアグリフを識別するためにさらに使用され得る。反射光強度は、読み取り装置の開口部内のセキュアグリフの面積に比例することがある。このように、例えば、セキュアグリフの領域に向けられた発光ダイオードなどの３または４つの着色源を使用して、感知または読み取られた光の一部は、この色で印刷されたセキュアグリフの面積に比例するであろう。従って、ＲとＧとＢ応答信号の比率は、セキュアグリフの完全画像を処理する必要なしに、セキュアグリフに対する一意の識別子を形成するであろう。印刷版に付けられたこのような面積平均識別用情報は、セキュアグリフの設計中に定義され得るものであり、例えば、領域、または、物体または製品に設置されたセキュアグリフもしくはその他のセキュア材料の場所は、図９および図１０に例示されているように、物体または製品上の残りのグラフィックスから独立に決定され得る。
【００９９】
本発明の別の実施形態では、分光計が高レベルのセキュリティを提供するために信号応答検出器として使用される。このような高レベル検出器の使用は、例えば、条件等色の問題を回避するであろう。信号応答は、広範囲の波長における出力信号強度と数ナノメートルから１ナノメートル未満までの分解能とを有することがある。分光計の使用は、完全発光スペクトルプロファイルも取得できるようにする。（適用できる波長域、感度および分解能の全体に亘る）分光計の選択は、セキュアグリフを形成するために使用されたタガント材料の物理的および化学的特性ならびに形態特徴と、認証のため必要とされる信号放射波長とに依存するものである。
【０１００】
分光計が使用される本発明の実施形態では、分光計は、セキュアグリフに対する完全応答スペクトルを検出できる波長分散型要素を有する可能性がある。分光計のデータ出力は、相対強度対波長の形をとることがあり、発光ピークが記録され、当然ながら、セキュアグリフに対する読み取り可能なセキュリティ形態特徴のフィンガープリントになる。
【０１０１】
本発明の別の実施形態は、例えば、印刷用インクを使用して、セキュアグリフが隠蔽されている物体または製品認証を行い、紫外線または赤外線励起源によって励起されることによって生じる蛍光信号応答を発生させる。発生させられた信号応答は、３つの異なった色であろう。認証読み取り装置は、典型的に、（例えば、フォトダイオードとして接続されているＬＥＤなどのように）自然に、または、セキュアグリフを調製するためにタガント材料において使用された蛍光着色剤の信号応答に適合する色フィルタの追加によって、少なくとも３つの異なったスペクトル特性を示す。
【０１０２】
信号応答検出器は、信号応答をＳＰＵに送信するように構成されている。ＳＰＵは、信号応答を受信した後、診断分析を実行し、データベースから関連したセキュアグリフ特性データを取り出し、このデータを信号検出器から受信された信号応答と比較する。
【０１０３】
比較の結果は、その後、典型的に、機械が機能することを許可する、または、機械が機能することを禁止する出力機器に送信される。好ましくは、出力機器は、聴覚的に、好ましくは、視覚的にこの結果の通知をユーザに提供する表示ユニットを含む。
【０１０４】
分析ハードウェアおよび出力機器は、デスクトップまたはノートブックコンピュータでもよい。その上に、出力機器は、分析ハードウェア、ＳＰＵおよび関連電子回路を有する独立型のモバイルアプリケーション機器（フィールド型）でもよい。出力は、小型液晶表示パネル、またはその他の種類のディスプレイに現れることがあり得る。データベースは、認証装置に内蔵されること、または、例えば、インターネットもしくはイントラネットなどの有線もしくは無線手段を介して装置に接続されることがある。
【０１０５】
認証装置は、ユーザが認証装置に指示する、または、認証装置と相互作用するためにコマンドを入力するための１台以上の入力機器をさらに含むことがある。信号放射を表すデータのフォーマットは、使用された信号放射検出機器に依存することがある。
【０１０６】
認証読み取り装置は、出力をさらに発生させ、この出力は、認証の結果を認証対象である品物、物体または製品の製造業者またはユーザに出力するために構成されたＳＰＵに接続され得る。読み取り装置は、例えば、品物、物体または製品に貼り付けられた商標グリフを認証できなかったとき、品物、物体または製品を使用する物体もしくは製品もしくは機器に機能停止させるコマンドを認証装置に送信することがある。
【０１０７】
この認証読み取り装置機能面の価値は、偽造品、物体または製品のユーザが偽造品、物体または製品の使用または承諾を強制しようとしている場合に認められるであろう。物体もしくは製品、または、物体もしくは製品に関連付けられた何らかの品物もしくは機器を使用できないことから生じる損失は、物体、製品、品物または機器が再び機能するようになるためにユーザが製造業者に連絡を取る原因となる可能性がある。
【０１０８】
係る手段を用いて、物体、製品、品物または機器の製造業者は、偽造を制限し、偽造に関するデータを明らかにすることができる。このようにして、本発明の認証装置および方法のためのロックアウトおよび報告の態様は、インクジェットカートリッジ、薬剤、ワクチン、飲料、飲料自動販売機、多くのその他の工業用品、品物および様々な種類の機械のために商業的に有用である可能性がある。
【０１０９】
本発明のさらなる実施形態では、認証読み取り装置は、セキュアグリフを読み取り、場合によっては、可視化するために設計されることがあり、加えて、情報の多数の画素を読み取り、その結果、セキュアグリフの形状および向きを獲得する能力を有することがある。
【０１１０】
可視化は、白黒またはフルカラーのいずれかの小型カメラによって行われることがあり得る。セキュアグリフの幾何学的形状全体がカメラを使用して肉眼で見ることができる１つの特定の実施形態では、セキュアグリフが回転対称性を有するように設計されるべきである、という要件はない。その上に、カメラ撮影画像は、数学的手続および画像処理を使用して回転または処理され得る。
【０１１１】
付加的に、認証保護の別の層は、信号応答の全信号強度がセキュアグリフを形成するタガント材料の濃度に関連して付加的な検証基準としての機能を果たすときに得られる。その結果、ある一定の物体または製品に対して、セキュアグリフの読み取り可能な形態特徴に変化をもたらすために係る濃度を単に２倍にすることがある。
【０１１２】
本発明は、上記認証装置が中に組み込まれるか、または、上記認証装置に関連付けられている機械をさらに提供する。
【０１１３】
この機械は、インクジェットプリンタ、自動販売機または抽出機であり得る。
【０１１４】
本発明は、セキュアグリフが付けられている物体または製品が本明細書において前述された認証装置に関連付けられた機械において具体的な意図された目的のため受け入れられ、使用されることを可能にさせる方法をさらに提供する。
【０１１５】
この方法は、単独で、または、セキュアグリフに付いている機械読み取り可能な形態特徴の少なくとも一部分と組み合わせて、知的財産保護を受けた形態特徴を検出し認識するために、機械の中に組み込まれた、または、機械に関連付けられた認証装置を使用することと、その後に続いて、機械の中で、または、機械を用いて、物体または製品の意図された使用を認証または許可することとを含む。
【０１１６】
その上に、この方法は、最初にセキュアグリフを物体または製品に貼り付ける、または、取り付けること、グリフを物体または製品に印刷または被覆すること、および／または、グリフを物体または製品の中に組み込むことを含むことがある。
【０１１７】
本発明は、第１の品物が第２の品物と組み合わせて使用されることを許可するシステムであって、
ａ）検出器を用いてグリフの独特の形態特徴を検出することによりグリフが付けられている第１の品物を認証することと、
ｂ）第１の品物が第２の品物と組み合わせて使用されることを許可することと、
を含むシステムをさらに提供する。
【０１１８】
有利なことに、グリフは、本明細書において前述されたセキュアグリフである。
【０１１９】
最後に、本発明は、セキュアグリフが付けられている物体または製品の真正性を判定する認証方法であって、
真正性を判定するために認証装置によって、機械読み取り可能な形態特徴として単独で認識されるか、または、機械読み取り可能な形態特徴である少なくとも一部分と組み合わせて認識される知的財産保護を受けた形態特徴と、隠蔽部分、および、場合によっては、非隠蔽部分を有する機械読み取り可能な形態特徴とを有するセキュアグリフを物体または製品に、貼り付けるもしくは取り付ける、印刷するもしくは被覆する、および／または、組み込むことと、
真正性を判定するためにセキュアグリフが貼り付けられた物体または製品を、単独でまたは機械読み取り可能な形態特徴と組み合わせて、知的財産保護を受けた形態特徴からの信号応答に対応している関連データを収容しているデータベースと、単独でまたはセキュアグリフに付けられた機械読み取り可能な形態特徴と組み合わせて、知的財産保護を受けた形態特徴から信号応答を発生できる信号発生器、および、単独でまたは機械読み取り可能な形態特徴と組み合わせて、知的財産保護を受けた形態特徴からの信号応答を受信できる信号応答検出器を有する認証読み取り装置と、検出器からの信号応答をデータベース内の該当する関連データとを比較する信号処理ユニット（ＳＰＵ）とを有する認証装置にかけることと、
認証読み取り装置からの出力を承認することと、
を含む方法を提供する。
【０１２０】
本発明の特定の実施形態では、物体または製品認証は、セキュアグラフを物体または製品に塗布するまたは組み込むことと、セキュアグリフの信号応答特性に関連しているデータを記憶するデータベースと、読み取り装置による信号放射または応答検出のためセキュアグリフに向かって信号を放射する信号発生または励起源と、図１および図３に例示するように、信号応答を分析し、信号応答をデータベース内のデータと比較する信号処理ユニット（ＳＰＵ）とを有し、それによって、セキュアグリフを含んでいる、または、セキュアグリフが塗布されている物体または製品の同一性および真正性を検証する認証読み取り装置と、を含む。
【０１２１】
このように取得された情報は、さらに、データベースに引き続き記憶されることがあり、または、例えば、インターネットを介して、物体のブランド所有者に通信されることがある。ブランド所有者によってこのように取得された情報は、物体に付けられたセキュアグリフの真正性を認識する改良された手段を読み取り装置に教示するために、分析され、使用されることがあることも本発明の特徴である。別の可能性は、物体に対する補助的な認証対策を求めるために読み取り装置をプログラムすることである。これらの特徴は、（ａ）偽造者が読み取り装置および／または人間が物体およびセキュアグリフは真正であることを信じない理由がほんどない真正セキュアグリフを含んでいる所有者の真正物体を使用するとき、または（ｂ）偽造者が読み取り装置および／または人間を騙して前記セキュアグリフに類似した物が実際には真正であると信じさせるかもしれないセキュアグリフに類似した物を製作しているとき、特別な実用性がある。これらの手段のいずれかによって、誤判定を検出または回避することができ、セキュアグリフを読み取る装置は、偽造物と真正セキュアグリフとを区別するように教示される、または、セキュアグリフおよびセキュアグリフを含んでいる物体の真正性を認識する読み取り装置の能力をさらに高める、または、改善するために読み取り装置に入力された、いくつかの他の情報を参照するように教示されることがあり得る。
【０１２２】
データベースからこのように取得された情報は、この例では、偽造者を逮捕し、商標、商号、著作権保護された素材、およびその他の知的財産の偽造と非合法の使用および表現とを撲滅するために、警察または別の地方もしくは政府セキュリティ機関に伝達されることもある。
【０１２３】
物体または製品に付して、または、関連して使用される偽造商標を判定するための商標グリフの読み取り可能な形態特徴が肉眼で見える場合、商標権侵害は、物体または製品の所有者によって直ちに立証されることがあり得る。商標グリフの読み取り可能な形態特徴が肉眼では見えないように隠蔽されている場合、補助的な暴露源が物体または製品の使用中のある時点、または、使用中ずっと商標グリフを可視化するために必要とされるであろう。隠蔽されたまたは見えない商標グリフは、偽造者にとっては、自分の偽造物体または製品が真正物体または製品と同様に見え、同様に機能し、そして、同じ読み取り可能な形態特徴を含んでいるように思われるとしても、自分の偽造物体または製品が拒絶され、受け入れられない理由が直ちに明らかではないので、さらに別のレベルの認証セキュリティを物体または製品に追加するであろう。さらに、隠されたまたは見えない商標グリフは、好ましくは、物体または製品に現れる他のマーケティング用または装飾的なデザインまたは広告の見え方または外観を邪魔することがないであろう。
【０１２４】
本発明がもたらす重要かつ明白な利点は、認証装置が認証のため物体または製品に塗布された、肉眼で見え、かつ、読み取り装置でも見えるセキュアグリフの形態特徴の存在を探すだけでなく、セキュアグリフ自体、例えば、商標、商号またはロゴなどを視覚的に識別し、認証するために、同時にまたは順次に調べ、このような視覚的識別情報が物体または製品のための別のレベルの検証および認証を提供することである。
【０１２５】
別の実施形態では、セキュアまたは商標グリフは、隠蔽される、または、見えないが、その後に、セキュアグリフにインタロゲートし、遠くにある関連したアナログもしくはデジタル表示画面、または、物体もしくは製品の一部に商標グリフを表示する読み取り装置の使用によって肉眼で見えるようになる。このようにして、商標グリフは、それでもなお表現することが意図された物体または製品と結び付けられ、商標グリフを含んでいる物体または製品の認証中にセキュアグリフまたは商標グリフの補助的な視覚的検証を提供する。場合によっては、セキュアグリフまたは商標グリフの表示は、検証、安全性または広告メッセージまたは信号、例えば、白黒またはフルカラーで表示画面に現れる「真正製品」または「購入に適している」または「熱い飲料を扱うときに注意」、「無料サンプルをお求めの場合、この番号に電話してください」、または、チェックマークもしくは笑顔の顔文字を伴うことがある。当業者は、金銭的価値を表現することがあるものを含むその他のメッセージ、コードおよび信号がこの物体および製品認証装置のセキュアグリフまたは商標グリフを使用して発生させられ得ることを理解するであろう。さらに場合によっては、セキュアグリフまたは商標グリフの表示は、例えば、物体が払い戻しまたはギフトに相応しいことを証明することによって、前記物体の消費者のためさらなる価値を得る目的のため前記物体の残額を検証するために物体の通常の使用に続いて使用されることがある。
【０１２６】
さらなる実施形態では、セキュアグリフまたは商標グリフは、隠蔽される、または、見えないが、物体または製品の内面に印刷されている。例えば、積層フレキシブル包装材料の内面であり、組立体は、隠された、または、見えない商標グリフにインタロゲートする手段を実現し易くするために、少なくとも１つの面を通して実質的に透明である。同様に実質的に可視光に対して透過的である少なくとも１つの透明な面を通して、蛍光タガント材料で構成されたセキュアグリフまたは商標グリフは、セキュアグリフまたは商標グリフが吸収する赤外線放射の波長で励起に晒される可能性がある。セキュアグリフまたは商標グリフは、セキュアグリフまたは商標グリフの幾何学的デザインを正確に表現するような方法で、印刷用インクではなく接着剤として、物体または製品の基材にさらに塗布されることもある。
【０１２７】
本発明は、その好ましい実施形態を含めて詳細に記載されている。しかしながら、当業者は、本開示を検討することによって、発明の範囲および趣旨に含まれる修正および／または改良を本発明に行うことが認められるであろう。以下の実施例は、本発明の具体的な態様を例示して説明し、いずれの点においても、本発明の範囲を限定することは意図されず、そのように解釈されるべきではない。
【０１２８】
実施例１：物体に付けられた非隠蔽セキュアグリフの認証
既知の塗布方法によってタガントを含有している印刷用インクまたはコーティング物を物体に塗布することにより、４回の回転対称性を有し、知的財産保護を受けた形態特徴が肉眼で見えるようにされた、グリフが物体に設けられた。
【０１２９】
物体は、その後、ハンドヘルド型機械読み取り装置によってインタロゲートされ、肉眼および読み取り装置の両方によって認証された。
【０１３０】
実施例２：物体に付けられた隠蔽商標グリフの認証および機械での使用
商標のデザインおよび外形を作るために印刷用インクまたはコーティング物を使い捨ての飲料自動販売機用カップに塗布することにより、４回の回転対称性を有し、肉眼では見えないようにされた商標グリフが設けられた。
【０１３１】
飲料自動販売機用カップは、飲料自動販売機または抽出機に挿入され、挿入後に、商標グリフは、肉眼で見えるようになる。飲料自動販売機用カップは、その後、機械の内部に組み込まれた認証装置によるインタロゲーションを受け、商標グリフは、自動販売機の視覚的ディスプレイに表示される。
【０１３２】
インタロゲーションによって、飲料自動販売機用カップは、機械読み取り装置による識別および認証を受け、飲料自動販売機用カップを使用するプロセスは、飲料自動販売機用カップの蓋に現れた商標グリフに対する認証の結果に基づいて継続するか、または、停止する。
【０１３３】
商標グリフの認証によって、飲料自動販売機は、その動作を継続し、飲料が抽出され、分注される。
【０１３４】
認証が行われ、検証された時点で、商標グリフは、商標、ロゴまたはメッセージを自動販売機の表示画面に出現させ、加えて、例えば、「本物の１杯を味わってください」または「本格抽出」などのメッセージも表示される。
【０１３５】
商標、ロゴまたはメッセージは、抽出および分注プロセスの初めから完了するまでずっと機械の表示画面に出現し続ける。使用済みの抽出カップは、次に、第２の認証センターに運ばれることがあり、この第２の認証センターで、第２の読み取り装置への前記使用済みのカップの提示によって、払い戻しまたは景品が使用済みのカップの所有者に提供されることがある。商標グリフの無検証によって、自動販売機は、飲料を抽出または分注することなく、ユーザに通知するメッセージが表示画面に現れる。未使用の偽造された飲料自動販売機用カップは、その後、収納場所に預けられるか、または、そうでなければ、保持されるもしくは拒絶される。
【０１３６】
実施例３：物体に付けられた非隠蔽商標グリフの認証および機械での使用
インクジェットプリンタで用いるインクジェットカートリッジのための肉眼で見える商標グリフが設けられた。セキュアグリフを含有する印刷用インクまたはコーティング物は、既知の塗布方法を使用して、商標グリフのデザインおよび外形を作るためにインクジェットプリンタカートリッジに堆積、パターン形成される。
【０１３７】
商標グリフデザインは、インクジェットカートリッジが、好ましくは、一方向だけでプリンタに挿入され、従って、カートリッジの向きがプリンタによって指示されるので、どのような形状にもなり得る。
【０１３８】
インクジェットカートリッジは、その後、プリンタに挿入され、読み取り装置によって商標グリフをインタロゲートする手段に晒される。
【０１３９】
商標グリフのインタロゲーションによって、インクジェットカートリッジは、読み取り装置による識別および認証を受け、プリンタ内でインクジェットカートリッジを使用するプロセスは、継続してカートリッジからのインクを受け入れるか、または、インクを受け入れず、プリンタは印刷を行わない。
【０１４０】
場合によっては、プリンタは、真正インクジェットカートリッジが読み取り装置によって認証されるまで、一時的にまたは永久的に動作停止させられることもある。さらなる選択肢は、無検証に関してプリンタのユーザまたは製造業者に警告するために、メッセージがプリンタから、例えば、インターネット、または、デジタルもしくはアナログ画面表示を介して、送信されることを必要とすることがあり得る。
【０１４１】
実施例４：物体に付けられた隠蔽商標の認証および機械での使用
インクジェットプリンタで用いるインクジェットカートリッジのための商標グリフは、肉眼では見えないように設計される。セキュアグリフを含んでいる印刷用インクまたはコーティング物は、既知の塗布方法を使用して商標グリフのデザインおよび外形を作るためにインクジェットプリンタカートリッジにパターン形成、堆積させられる。
【０１４２】
商標グリフデザインは、インクジェットカートリッジが、好ましくは、一方向だけでプリンタに挿入され、従って、カートリッジの向きがプリンタによって指示されるので、どのような形状にもなり得る。インクジェットカートリッジは、その後、プリンタに挿入される。プリンタへの挿入によって、商標グリフは、肉眼で見えるようになり、読み取り装置によって商標グリフをインタロゲートする手段に晒され、読み取り装置は、ハンドヘルド型の、機械読み取り可能なもしくは視覚的な表示であるか、またはこれらの組み合わせである。
【０１４３】
商標グリフのインタロゲーションによって、インクジェットカートリッジは、読み取り装置による識別および認証を受け、プリンタ内でインクジェットカートリッジを使用するプロセスは、継続してカートリッジからのインクを受け入れるか、または、インクを受け入れず、プリンタは印刷を行わない。
【０１４４】
場合によっては、プリンタは、真正インクジェットカートリッジが読み取り装置によって認証されるまで、一時的にまたは永久的に動作停止させられることもある。さらなる選択肢は、無検証に関してプリンタのユーザまたは製造業者に警告するために、プリンタから、例えば、インターネット、または、デジタルもしくはアナログ画面表示を介して、メッセージが送信されることが必要になり得る。
【０１４５】
実施例５：物体に付けられた非隠蔽商標グリフの認証および機械での使用
自動販売機のための商標グリフは、肉眼で見えるように設けられる。セキュアグリフを含んでいる印刷用インクまたはコーティング物は、既知の塗布方法を使用して商標グリフのデザインおよび外形を作るために、自動販売機内で見受けられる品物にパターン形成、堆積させられる。
【０１４６】
商標グリフは、場合によっては、限定されることはないが、瓶、缶、キャンディ、ポテトチップス、チューインガムなどの自動販売機内で見受けられる品物を構成する基材の不可欠な部分でもよい。好ましい商標グリフデザインは、読み取りやすくするために、３回より多い、最も好ましくは、４回より多いｎ回の回転対称性を有する。
【０１４７】
自動販売機に入れられた品物は、読み取り可能な形態特徴が機械読み取り可能であり、購入時に、読み取り装置による品物同一性をインタロゲートまたは認証する手段に晒される。
【０１４８】
商標の検証によって、好ましくは、自動販売機は、製品を販売する。商標グリフの無検証によって、好ましくは、自動販売機は、製品を販売せずに、製品の代金を返却することがある。
【０１４９】
場合によっては、自動販売機は、一時的にまたは永久的に、さらに機能停止させられることがある。場合によっては、無検証に関して自動販売機の製造業者または分注される商品の製造業者に警告するために、自動販売機から、例えば、インターネットを介してメッセージが送信されることがある。
【０１５０】
実施例６：物体に付けられた非隠蔽商標グリフの認証および機械での使用
例えば、食洗機または洗濯機の洗剤ポーチなどの洗剤ポーチのための商標グリフは、肉眼で見えるように設計されている。セキュアグリフを含んでいる印刷用インクまたはコーティング物は、既知の塗布方法を使用して商標グリフのデザインおよび外形を作るためにポーチにパターン形成、堆積させられる。
【０１５１】
好ましい商標グリフデザインは、読み取りやすくするために、３回より多い、最も好ましくは、４回より多いｎ回の回転対称性を有する。
【０１５２】
ポーチは、読み取り可能な形態特徴が機械読み取り可能であり、食洗機または洗濯機の中に入れられ、読み取り装置によるポーチ同一性をインタロゲートまたは認証する手段に晒される。
【０１５３】
商標グリフの検証によって、洗浄機は、ポーチによって分注された石鹸を使用し、サイクルを起動する。商標グリフの無検証によって、洗浄機は、ポーチによって分注された石鹸を使用することも、サイクルを起動することもない。
【０１５４】
場合によっては、洗浄機は、一時的にまたは永久的に、さらに機能停止させられることがある。場合によっては、無検証に関して洗剤ポーチの製造業者またはユーザに警告するために、洗浄機から、インターネットを介して、または、アナログもしくはデジタル表示画面にメッセージが送信されることがある。
【０１５５】
実施例７：物体に付けられた隠蔽商標グリフの認証および機械での使用
洗剤ポーチ、好ましくは、食洗機または洗濯機の洗剤ポーチのための商標グリフは、肉眼で見えないように設計される。
【０１５６】
セキュアグリフを含んでいる印刷用インクまたはコーティング物は、既知の塗布方法を使用して商標グリフのデザインおよび外形を作るためにポーチにパターン形成、堆積させられる。
【０１５７】
好ましい商標グリフデザインは、読み取りやすくするために、３回より多い、最も好ましくは、４回より多いｎ回の回転対称性を有する。ポーチは、食洗機または洗濯機の中に入れられる。
【０１５８】
ポーチが食洗機に挿入されるとき、読み取り可能な形態特徴が機械読み取り可能である商標グリフは、肉眼で見えるようになり、読み取り装置によってポーチ同一性をインタロゲートまたは認証する手段に晒される。
【０１５９】
商標グリフの検証によって、洗浄機は、ポーチによって分注された洗剤を使用し、サイクルを起動する。商標グリフの無検証によって、洗浄機は、ポーチによって分注された洗剤を使用することも、サイクルを起動することもない。
【０１６０】
場合によっては、洗浄機は、一時的にまたは永久的に、さらに機能停止させられることがある。場合によっては、無検証に関して洗剤ポーチの製造業者またはユーザに警告するために、洗浄機から、インターネットを介して、または、アナログもしくはデジタル表示画面にメッセージが送信されることがある。
【０１６１】
実施例８：物体に付いている隠蔽商標グリフの認証および機械での使用
生体液、ワクチン、医薬品または医療製剤を投与するために適したポーチまたはカプセルのための肉眼では見えない商標グリフが設けられる。
【０１６２】
セキュアグリフを含んでいる接着性組成物は、肉眼には見えない機械読み取り可能な商標グリフ形態特徴を作るために、配合され、スポットコーティングを用いて、フレキシブル基材、例えば、ポリセステルにパターン形成、堆積させられる。
【０１６３】
好ましい商標グリフデザインは、読み取りやすくするために、３回より多い、最も好ましくは、４回より多いｎ回の回転対称性を有する。商標グリフは、場合によっては、フレキシブル基材を構成する基材の不可欠な部分であることもある。
【０１６４】
フレキシブル基材は、その後、第２のフレキシブル基材、例えば、ナイロンに積層され、積層シートは、その後、生体液、ワクチン、医薬品または医療製剤を投与するため適したポーチまたはカプセルにさらに加工される。使用中のポーチは、投与器、例えば、医療用吸入器または注射器に挿入され、投与器における読み取り装置による商標グリフの認証時にその内容物を生成するためだけに穴を開けることができる。
【０１６５】
商標グリフの検証によって、投与器は、生体液、ワクチン、医薬品または医療調剤を投与し、商標グリフの無検証によって、一時的または永久的に、投与器を機能停止させる。
【０１６６】
場合によっては、無検証に関して投与器の製造業者またはユーザに警告するために、投与器から、インターネットを介して、または、アナログもしくはデジタル表示画面にメッセージが送信されることがある。
【０１６７】
場合によっては、投与器は、商標グリフから導き出される認証およびその他の有益な情報、例えば、薬剤の同一性および薬剤の用量が認証によって表示され得るように、表示画面が設けられる。このようなシステムは、例えば、経口投与されるポリオワクチンの同一性を認証するために有利に利用されることがある。
【０１６８】
実施例９：物体に付けられた隠蔽商標グリフの認証
自動販売機のための、肉眼では見えない一連の商標グリフが設けられる。セキュアグリフを含んでいる一連の印刷用インクまたはコーティング物は、既知の塗布技術を使用して２つの商標グリフのデザインおよび外形を作るために自動販売機内で見受けられる品物にパターン形成、堆積させられる。
【０１６９】
各商標グリフは、少なくとも１つの読み取り可能な形態特徴を備える。商標グリフは、場合によっては、瓶、缶、キャンディ、ポテトチップス、チューインガムなどを含むがこれらに限定されない自動販売機内で見受けられる品物を構成する基材の不可欠な部分であることがある。
【０１７０】
好ましい商標グリフデザインは、読み取りやすさのため、３回より多く、最も好ましくは、４回より多いｎ回の回転対称性を有する。読み取り可能な形態特徴が機械読み取り可能である自動販売機に入れられた品物は、購入時に、読み取り装置によって品物同一性をインタロゲートまたは認証する手段に晒される。前記読み取り装置は、商標グリフのうちの少なくとも１つに付けられた少なくとも１つのセキュア形態特徴を読み取るであろう。読み取り装置は、両方の商標グリフ、または、これらのうちの１つだけを読み取るようにプログラムされることがあり、または、定義された物体の順序で、第１の商標グリフ、そして、その後、もう一方を読み取るようにプログラムされることがある。商標グリフの無検証によって、好ましくは、自動販売機は、製品を販売せずに、その製品の代金を返却することがある。
【０１７１】
場合によっては、自動販売機は、一時的にまたは永久的に、さらに機能停止させられることがある。場合によっては、無検証に関して自動販売機の製造業者または販売される品物の製造業者に警告するために、自動販売機から、例えば、インターネットを介してメッセージが送信されることがある。定義された個数の商標グリフの検証によって、好ましくは、自動販売機は、製品を販売する。商標グリフのうちの少なくとも１つの無検証によって、好ましくは、自動販売機は、製品を販売せずに、場合によっては、その製品の代金を返却することがある。場合によっては、自動販売機は、一時的にまたは永久的に、さらに機能停止させられることがある。場合によっては、無検証に関して自動販売機の製造業者または販売される製品の製造業者に警告するために、自動販売機から、例えば、インターネットを介してメッセージが送信されることがある。
【０１７２】
実施例１０：物体に付けられた非隠蔽商標グリフの認証および機械での使用
パッシブＲＦＩＤ（無線周波数識別）アンテナとしても機能するセキュアグリフは、知的財産保護を受けた形態特徴が肉眼で見えるように設計され、そして、標準的なＲＦＩＤアンテナ（図１１に示す）について典型的に見られる業界共通の幾何学的形状および構造を有する。セキュアグリフは、パッシブＲＤＩＤアンテナの機能性も持っている。セキュアグリフは、アルミニウムまたは銅の積層構造体として基材または物体に塗布される。代替的に、セキュアグリフは、銀または銅導電体から調製され、幾何学的形状および構造で基材または物体に印刷され、その後、標準的な硬化方法で硬化させられる。セキュアグリフは、例えば、周波数１３．５６ＭＨｚの放射線を放射する読み取り装置によってインタロゲートされたとき、信号応答を放射できる。インタロゲーションによって、セキュアグリフおよびセキュアグリフが取り付けられた物体は、読み取り装置によって認証される。セキュアグリフを認証したときの読み取り装置からの出力信号は、場合によっては、著作権保護されたメッセージ、商標、または商号を画面に表示することを可能にすることがあり、または、セキュアグリフが塗布された物体と相互作用する機器によって著作権保護された音符が演奏されることを可能にすることがある。
【０１７３】
実施例１１：知的財産権保護を受けた隠蔽形態特徴および機械読み取り可能な非隠蔽形態特徴を含んでいる商標グリフの製作
本発明の一実施形態（図１２に示す）は、文字「ｄ」の後方に薄緑色着色領域、文字「ｃ」の後に薄青色着色領域、および、文字「Ｉ」の後方に中間青緑色領域を生じる２色混色を含んでいる着色商標グリフとして、日本国東京所在のＤＩＣ株式会社の登録商標を提示する。
【０１７４】
商標グリフの電磁スペクトルの可視部に対する薄緑色（ＰＭＳ  ７４８７）および薄青色（ＰＭＳ  ２９８）のスペクトル反射率が記録された（図１３を参照のこと）。（ダウンコンバートする２つの可視色に顕著に影響を与えないように）低濃度で蛍光タガント（すなわち、メチレンブルー）を含有しているインクを使って刷り重ねられた、同じ２色に対するスペクトル反射も記録された（図１４を参照のこと）。各記録は、ＩＳＯ  １３６５５準拠スペクトル密度計を使用して行われた。
【０１７５】
各色のスペクトル曲線の長波長の尾部において小さい「ブリップ」すなわち上昇が観察できる。これは、商標グリフの隠蔽タガントの機械読み取り可能な部分の放射に起因し、メチレンブルー色素が中心周波数６５０ｎｍの高強度固体レーザー認証装置を用いて励起されたときに生じる。
【０１７６】
レーザーが活性化されないとき、曲線は、本来現れる通りに見える。レーザーが活性化しているとき、付加的な放射輝度がメチレンブルー色素による印刷物から放射され、長波長の「ブリップ」痕跡が捕捉される。
【０１７７】
最後に、図１５は、認証装置によって測定されたスペクトル密度計源が活性化されていないとき、商標グリフの第２の機械読み取り可能な形態特徴としての放射放出を表し、レーザー励起が反射されている場所と、基材の印刷されていない部分からのメチレンブルー放射とをはっきりと見ることができる。さらに、２つの異なる厚さは、認証装置によって測定された、かなり線形的な過程として現れる蛍光として、異なる発光強度を生じる。
【０１７８】
本実施例は、本発明による商標グリフが物体または製品に印刷可能であり、それ故に、商標が物体または製品の公認供給業者またはユーザによって印刷され、使用されたことを立証および検証するための方法を可能にすることを表している。
【図１】
2017531874.tif 000003
【図２】
2017531874.tif 000004
【図３】
2017531874.tif 000005
【図４】
2017531874.tif 000006
【図５】
2017531874.tif 000007
【図６】
2017531874.tif 000008
【図７】
2017531874.tif 000009
【図８】
2017531874.tif 000010
【図９】
2017531874.tif 000011
【図１０】
2017531874.tif 000012
【図１１】
2017531874.tif 000013
【図１２】
2017531874.tif 000014
【図１３】
2017531874.tif 000015
【図１４】
2017531874.tif 000016
【図１５】
2017531874.tif 000017
【図１６】
2017531874.tif 000018
【図１７】
2017531874.tif 000019
【図１８】
2017531874.tif 000020
【図１９】
2017531874.tif 000021
【図２０】
2017531874.tif 000022
【図２１】
2017531874.tif 000023
【図２２】
2017531874.tif 000024
【図２３】
2017531874.tif 000025
【図２４】
2017531874.tif 000026
【図２５】
2017531874.tif 000027
【図２６】
2017531874.tif 000028
【図２７】
2017531874.tif 000029
【手続補正書】
【提出日】平成29年6月22日(2017.6.22)
【手続補正１】
【補正対象書類名】特許請求の範囲
【補正対象項目名】全文
【補正方法】変更
【補正の内容】
【特許請求の範囲】
【請求項１】
真正性を判定するセキュアグリフであって、
（ａ）知的財産保護を受けた形態特徴と、
（ｂ）隠蔽および／または非隠蔽部分を有する機械読み取り可能な形態特徴と、
を備え、前記知的財産保護を受けた形態特徴は、真正性を判定するために認証装置によって、機械読み取り可能な形態特徴として単独で認識され、または、機械読み取り可能な形態特徴である少なくとも一部分と組み合わせて認識される、セキュアグリフ。
【請求項２】
前記知的財産保護を受けた形態特徴は、隠蔽部分および／または非隠蔽部分を有する、請求項１に記載のセキュアグリフ。
【請求項３】
前記機械読み取り可能な形態特徴および前記知的財産保護を受けた形態特徴は、真正性を判定するために、独立に、または、相互に関連して認識される、請求項１または２に記載のセキュアグリフ。
【請求項４】
前記知的財産保護を受けた形態特徴は商標である、請求項１から３のいずれか１項に記載のセキュアグリフ。
【請求項５】
前記商標は肉眼で見える、請求項１から４のいずれか１項に記載のセキュアグリフ。
【請求項６】
ＲＦＩＤアンテナを備える、請求項１から５のいずれか１項に記載のセキュアグリフ。
【請求項７】
前記機械読み取り可能な形態特徴はタガントである、請求項１から６のいずれか１項に記載のセキュアグリフ。
【請求項８】
請求項１から７のいずれか１項に記載のセキュアグリフを備えている物体または製品。
【請求項９】
前記物体または製品が飲料自動販売機用カップ、蓋、ラベルまたはカバーである、請求項８に記載の物体または製品。
【請求項１０】
セキュアグリフが付けられている物体の真正性を判定する認証装置であって、
ａ）単独でまたは機械読み取り可能な形態特徴と組み合わせて、知的財産保護を受けた形態特徴からの信号応答に対応する関連データを収容しているデータベースと、
ｂ）ｉ）単独でまたは前記グリフに付けられた前記機械読み取り可能な形態特徴と組み合わせて、知的財産保護を受けた形態特徴から信号応答を発生できる信号発生器、
ｉｉ）単独でまたは前記機械読み取り可能な形態特徴と組み合わせて、前記知的財産保護を受けた形態特徴からの前記信号応答を受信できる信号応答検出器、および
ｉｉｉ）前記検出器からの前記信号応答と前記データベース内の該当する関連データとを比較する信号処理ユニット（ＳＰＵ）
を有する認証読み取り装置と、
を備える、認証装置。
【請求項１１】
出力機器をさらに備える、請求項１０に記載の装置。
【請求項１２】
前記セキュアグリフに対して近くにある、または、遠くにあることがある表示ユニットをさらに備える、請求項１０または１１に記載の装置。
【請求項１３】
前記信号発生器は励起源を備える、請求項１０から１２のいずれか１項に記載の装置。
【請求項１４】
第１の品物が第２の品物と組み合わせて使用されることを許可するシステムであって、
ａ）検出器を用いてグリフの独特の形態特徴を検出することにより前記グリフが付けられた前記第１の品物を認証することと、
ｂ）前記第１の品物が前記第２の品物と組み合わせて使用されることを許可することと、
を含むシステム。
【請求項１５】
前記グリフは前記第１の品物に貼り付けられ、取り付けられ、印刷され、被覆され、かつ／または組み込まれる、請求項１４に記載のシステム。
【請求項１６】
カップが抽出機と協同配置されている時に起こる抽出動作の間に、そこから分注される飲料の抽出に用いられるカップであって、前記カップは、カップを認証するための機械読み取り可能な認証情報を有していて、前記機械読み取り可能な認証情報は、隠蔽部分およびオプションとして非隠蔽部分を有していて、前記隠蔽部分は、知的財産保護下の、肉眼の視力からは隠されている情報を含んでいて、それは、機械によって読み込まれる際にディスプレイ上で見るために示される、カップ。
【請求項１７】
前記機械読み取り可能な認証情報は、隠蔽および非隠蔽タガントから形成される、請求項１６に記載のカップ。
【請求項１８】
知的財産保護下の、肉眼の視力からは隠されている機械読み取り可能な認証情報は、画像またはデザインの全部または一部を形成する、請求項１６に記載のカップ。
【請求項１９】
真正性を判定するセキュアグリフが貼り付けられているもしくは取り付けられている、印刷されているもしくは被覆されている、および／または、組み込まれている物体または製品の真正性を判定する認証方法であって、前記セキュアグリフは、
知的財産保護を受けた形態特徴と、
隠蔽および／または非隠蔽部分を有する機械読み取り可能な形態特徴と、
を備え、前記知的財産保護を受けた形態特徴は、真正性を判定するために認証装置によって、機械読み取り可能な形態特徴として単独で認識され、または、機械読み取り可能な形態特徴である少なくとも一部分と組み合わせて認識され、
前記方法は、
前記物体または製品を
（ｉ）単独でまたは機械読み取り可能な形態特徴と組み合わせて、知的財産保護を受けた形態特徴からの信号応答に対応する関連データを収容しているデータベース、および
（ｉｉ）単独でまたは前記セキュアグリフに付けられた前記機械読み取り可能な形態特徴と組み合わせて、知的財産保護を受けた形態特徴からの信号応答を発生できる信号発生器と、単独でまたは前記機械読み取り可能な形態特徴と組み合わせて、前記知的財産保護を受けた形態特徴からの前記信号応答を受信できる信号応答検出器と、前記検出器からの前記信号応答と前記データベース内の該当する関連データとを比較する信号処理ユニット（ＳＰＵ）とを有する認証読み取り装置
を有する認証装置にかけることと、
前記認証読み取り装置からの出力を認証し、使用することと、
を含む、方法。
【請求項２０】
認証される物体または製品は、抽出された飲料を分注するための飲料自動販売機用カップである、請求項１９に記載の方法。
【請求項２１】
前記装置は出力機器をさらに備える、請求項１９または２０に記載の方法。
【請求項２２】
前記装置は表示ユニットをさらに備える、請求項１９から２１のいずれか１項に記載の方法。
【請求項２３】
抽出機内の飲料を抽出する方法において、
a) 知的財産保護下の情報を含む機械読み取り可能な情報を有する推定上真正な自動販売機用カップを抽出機に挿入するステップと、
b) 前記機械読み取り可能な情報から信号応答を発生させるステップと、
c) 信号応答検出器によって前記信号応答を検出するステップと、
d) 信号処理ユニット内で、前記信号応答とデータベースから得られる関連データとの間での比較を実行するステップと、
e) 前記比較から、前記信号応答が、真正な自動販売機用カップの機械読み取り可能な認証情報である機械読み取り可能な情報から発生するか否かを判定するステップと、
f) 知的財産保護下の機械読み取り可能な情報を抽出機の表示ユニットに表示するステップと、
g) (1) 信号応答が機械読み取り可能な認証情報から発生している時に発見された真正な自動販売機用カップから抽出機内の飲料を抽出するステップ、または、
(2) 信号応答が機械読み取り可能な認証情報から発生していない時に発見された真正でない自動販売機用カップから抽出機が飲料を抽出するのを阻止するステップと
を有している、方法。
【請求項２４】
前記機械読み取り可能な認証情報は、自動販売機用カップ上に貼り付けられ、取り付けられ、印刷され、または被覆され、かつ／または自動販売機用カップの構造内に組み込まれる、請求項２３に記載の方法。
【請求項２５】
真正な自動販売機用カップの機械読み取り可能な認証情報はタガントである、請求項２３または２４に記載の方法。
【請求項２６】
知的財産保護下の情報は、ロゴ、テキスト、デザイン、またはこれらの組み合わせを含む、請求項２３から２５のうちのいずれか一項に記載の方法。
【請求項２７】
真正な自動販売機用カップの機械読み取り可能な認証情報は、完全に隠蔽されている、請求項２３から２６のうちのいずれか一項に記載の方法。
【請求項２８】
真正な自動販売機用カップの機械読み取り可能な認証情報は、完全に非隠蔽である、請求項２３から２６のうちのいずれか一項に記載の方法。
【請求項２９】
真正な自動販売機用カップの機械読み取り可能な認証情報は、一部分は隠蔽されていて、一部分は非隠蔽である、請求項２３から２６のうちのいずれか一項に記載の方法。
【国際調査報告】
2017531874.tif 000030
2017531874.tif 000031
2017531874.tif 000032